(57)【要約】【課題】排水ナットの床面との干渉を無くし、レリースワイヤの曲がりが確保でき、十分な排水量の確保が可能な水槽の排水栓装置を提供する。【解決手段】水槽底面２２の排水口１に設けられる排水栓２と、排水栓を開閉する弁部４を備える止水弁３と、操作部の操作力を止水弁３に伝えて開閉するレリースワイヤ６と、排水栓２を水槽底面２２の排水口１に固定する排水ナット１３を備える水槽の排水栓装置において、排水栓２と嵌合される筒状の排水ナット本体部１４とレリースワイヤ６が差し込まれるワイヤ接続部１５を備える排水ナット１３のワイヤ接続部１５の先端側の上端１５ａが、排水ナット本体部１４の上端１４ａよりも上方に位置するように設ける。【選択図】  図１
2004232332.tif 000002
【特許請求の範囲】
【請求項１】
水槽底面の排水口に設けられる排水栓と、この排水栓を開閉する弁部を備える止水弁と、操作部の操作力を上記止水弁に伝えて開閉するレリースワイヤと、前記排水栓を水槽底面の排水口に固定する排水ナットを備え、排水ナットに前記排水栓と嵌合される筒状の排水ナット本体部と前記レリースワイヤが差し込まれるワイヤ接続部が設けられ、このワイヤ接続部の先端の上端が、排水ナット本体部の上端よりも上方に位置して設けられている水槽の排水栓装置。
【請求項２】
操作部と排水ナットのワイヤ接続部がチューブで接続され、ワイヤ接続部のチューブ接続フランジ部が、水槽底面の排水口凹部よりも外側に位置する請求項１記載の水槽の排水栓装置。
【請求項３】
ワイヤ接続部が、排水ナット本体部に対して上方に向け傾斜して設けられている請求項１又は請求項２記載の水槽の排水栓装置。
【請求項４】
ワイヤ接続部が、排水ナット本体部の下端に下方に突出して設けられている請求項１〜請求項３のいずれかに記載の水槽の排水栓装置。
【発明の詳細な説明】
【０００１】
【発明の属する技術分野】
本発明は、浴槽や洗面台等の水槽底面の排水口に装着された排水栓をこれとは離れた位置に設けられた操作部を操作することにより、排水栓の開閉を行う水槽の排水栓装置に関する。
【０００２】
【従来の技術】
この種の排水栓装置としては図２及び図３に示すように、排水栓２、止水弁３、弁支持部材９、レリースワイヤ６、排水ナット１３、操作部１０、及びその他の各部材より構成され、排水栓２は内部に排水口を形成する上面及び底面が開放された筒状形状で、その外周面にはオネジが設けられ、止水弁３は、排水口１を開閉する弁部４と、止水弁３をレリースワイヤ６に嵌合するために弁部４の中心より下方に向けて垂下されたレリースワイヤ６と固定する弁軸１８より形成され、レリースワイヤ６は可撓性を備えた中空のアウターチューブと、アウターチューブの内面を軸方向に進退するインナーワイヤと、インナーワイヤの一端に備えられ止水弁３の弁軸１８下方に配置されるロッド部７と、レリースワイヤ６内の操作部１０側にインナーワイヤを操作部１０側に付勢する戻りスプリングを備え、弁支持部材９は、排水栓２の内部に固定され、レリースワイヤ６の進退を行うためにロット部７を固定しており、また、排水ナット１３は、排水栓２のオネジ部と螺合するメネジを備えた開口部と排水口１からの排水を下流側に排出するための排出口を備えた排出部とからなる排水ナット本体部１４と、排出口と排出部の間に接続されるレリースワイヤ６を通すためのワイヤ接続部１５からなっており、操作部１０はレリースワイヤ６に接続され、レリースワイヤ６のインナーワイヤの進退を行うことで、排水口１を開閉させるものであって、また、インナーワイヤの進退を保持するための保持機構としてスラストロック機構を備える構成のものが知られている（例えば、特許文献１参照）。
【０００３】
上記の排水栓装置には、その他の部材として、操作部１０と排水ナット１３を接続するチューブ１６を備え、また、排水栓２と排水口１及び排水ナット１３と排水口１の間にパッキンを備えており、次のように浴槽等に取付けられる。
先ず排水栓２を、排水口１を介して排水ナット１３の開口部と螺合させ、次にレリースワイヤ６の一方、ロッド部７を備えない側を操作部１０に接続し、また、ロッド７部側の端部を、ワイヤ接続部１５を介して排水ナット１３から排水栓２の排水口１へと導入する。更にアウターチューブの端部を弁支持部材９の軸受け部の接続部８に接続した後、排水口１内に弁支持部材９を、排水栓２に固定する。この状態より、軸受け部内に止水弁３の弁軸１８を収納させてロッド部７の先端が弁軸１８の下方に配置されるようにして排水栓装置の取り付けが完了する。
【０００４】
上記のように構成される排水栓装置を使用する場合、先ず操作部１０に操作力を加えて止水弁３が排水口１を閉口した状態、即ちレリースワイヤ６のインナーワイヤが操作部１０側に後退して、ロッド部７が降下した状態とする。この状態より操作部１０に操作を加えて、インナーワイヤを弁支持部材９側に前進させると、ロッド部が上昇して弁部４の弁軸下端に当接しこれを押し上げるため、止水弁３全体が上昇して排水口１を開口すると共に、スラストロック機構によって開口状態が保持される。この状態より操作スイッチに操作を加えてスラストロック機構の保持状態を解除すると、インナーワイヤが操作部１０側に後退し、ロッド部が下降するため、ロッド部に押し上げられていた止水弁３も降下して排水口１を閉口する。以後、この操作を繰り返すことで排水口１の開閉を自在に操作することができるようになっている。
【０００５】
しかし、図２及び図３で示した従来の排水栓装置では、排水口底面１９と床面２０との間が低い場合は、排水ナット１３の高さを低くしなければならず、その結果、ワイヤ接続部１５が床面に干渉したり、レリースワイヤ６の曲がりを十分に確保できずに作動不良をおこす場合があり、また、排水ナット１３の排水口２１と床面２０との隙間が十分になく、十分な排水量を確保できない、といった問題を生じる場合があった。
【０００６】
【特許文献１】
特開２００２−８８８５３号公報（第１−７頁、図１）
【０００７】
【発明が解決しようとする課題】
本発明は、排水ナットの床面との干渉を無くし、レリースワイヤの曲がりが確保でき、十分な排水量の確保が可能な水槽の排水栓装置を提供しようとするものである。
【０００８】
【課題を解決するための手段】
本発明は、次のものに関する。
（１）水槽底面の排水口に設けられる排水栓と、この排水栓を開閉する弁部を備える止水弁と、操作部の操作力を上記止水弁に伝えて開閉するレリースワイヤと、前記排水栓を水槽底面の排水口に固定する排水ナットを備え、排水ナットに前記排水栓と嵌合される筒状の排水ナット本体部と前記レリースワイヤが差し込まれるワイヤ接続部が設けられ、このワイヤ接続部の先端の上端が、排水ナット本体部の上端よりも上方に位置して設けられている水槽の排水栓装置。
（２）操作部と排水ナットのワイヤ接続部がチューブで接続され、ワイヤ接続部のチューブ接続フランジ部が、水槽底面の排水口凹部よりも外側に位置する上記（１）記載の水槽の排水栓装置。
（３）ワイヤ接続部が、排水ナット本体部に対して上方に向け傾斜して設けられている上記（１）又は（２）記載の水槽の排水栓装置。
（４）ワイヤ接続部が、排水ナット本体部の下端に下方に突出して設けられている上記（１）〜（３）のいずれかに記載の水槽の排水栓装置。
【０００９】
【発明の実施の形態】
本発明の排水栓装置における排水ナットは、排水栓のオネジ部と螺合するメネジを備えた開口部と排水口からの排水を下流側に排出するための排出口を備えた排出部とからなる排水ナット本体部と、レリースワイヤが差し込まれるワイヤ接続部が具備される。
ワイヤ接続部は、ワイヤ接続部の先端側の上端が前記の排水ナット本体部の上端よりも上方に位置するように排水ナットに設けられる。
このような構造にすることにより、図１の実施例で示す排水口底面１９と床面２０との間が低く、排水ナット１３の高さを低くする必要がある場合でもワイヤ接続部１５下端を床面２０よりも高い位置で設置できるようになり、浴槽の水槽底面２２との干渉を防止することができる。
【００１０】
さらに、操作部と排水ナット１３のワイヤ接続部１５をチューブで接続する場合には、ワイヤ接続部１５のチューブ接続フランジ部１７が、水槽底面２２の排水口凹部５よりも外側に位置する部分に設けるようにするのが好ましい。これは、チューブ接続フランジ部１７が排水口凹部５よりも内側に位置していると、チューブの肉厚分だけワイヤ接続部１５を低い位置にする必要が生じるからである。チューブ接続フランジ部１７を排水口凹部５よりも外側に位置する部分に設けることにより、チューブ１６が接続されていても、チューブやワイヤ接続部１５下端と浴槽の水槽底面２２との干渉を防止することができる。
【００１１】
さらに好ましくは、ワイヤ接続部１５は、排水ナット本体部１４に対して先端側が上方に向けて傾斜するように設ける。ワイヤ接続部１５を先端側が上方に向けて傾斜して設けることにより、レリースワイヤ６の曲がりを大きくとることができ、レリースワイヤ６の曲がりがきついことによる作動不良を無くすことができる。この傾斜として具体的には、傾斜角を１５°〜３０°の範囲にするのが好ましい。なお、この傾斜角が１５°未満の場合には、前記の理由により床面と干渉する場合があり、また、３０°を超えるとレリースワイヤ６が浴槽等の水槽の槽壁外面と干渉する場合がある。
さらに、ワイヤ接続部１５は、排水ナット本体部１４の下端から下方に突出して設けるようにするのが好ましい。このようにワイヤ接続部１５を設けることにより、排水ナット本体１３の高さを低くすることができて、床面２０と排水ナット１３の排水口２１との空間を保つことができる。
【００１２】
【実施例】
以下、本発明の水槽の排水栓装置の実施例について、図１を用いて具体的に説明する。
図１は本発明による排水栓装置の一実施例を示す断面図であり、排水栓装置は、排水栓２、止水弁３、弁支持部材９、レリースワイヤ６、排水ナット１３、操作部１０（図２参照）、チューブ１６等により構成されている。
排水栓２は、内部に排水口を形成する上面及び底面が開放された筒状形状であり、その外周面にはオネジが設けられている。また、内周面に、水平に沿って凸部を突設している。
止水弁３は、上記排水栓２の排水口を開閉する弁部４と、止水弁３をレリースワイヤ６に嵌合するために弁部４の中心より下方に向けて垂下されたレリースワイヤ６と固定する弁軸１８より形成されている。
レリースワイヤ６は、可撓性を備えた中空のアウターチューブと、このアウターチューブの内面を軸方向に進退するインナーワイヤと、インナーワイヤの一端に備えられ上記止水弁３の弁軸１８下方に配置されるロッド部７と、レリースワイヤ６内の操作部１０側に、インナーワイヤを操作部１０側に付勢する戻りスプリングを備えている。
弁支持部材９は、上記の排水栓２の内面に設けた凸部と係合する係合爪１１を下部に設けた円筒状のリング部とリング部から素の中心に向かって延出されたアーム部１２と、アーム部１２の中心部にアーム部１２と一体的に設けたレリースワイヤ６の端部のロット部７を接続する接続部８を備えている。
【００１３】
排水ナット１３は、上記排水栓２のオネジ部と螺合するメネジを備えた開口部と排水口１からの排水を下流側に排出するための排出口を備えた排出部とからなる排水ナット本体部１４と、上記排出口と排出部の間に接続されるレリースワイヤ６を通すためのワイヤ接続部１５からなる。
そして、ワイヤ接続部１５は排水ナット本体部１４に対して傾斜角２０°に傾斜させて設け、さらに、ワイヤ接続部１５の先端の上端１５ａが排水ナット本体部１４の上端１４ａよりも約８．５ｍｍ上方に位置する形状とした。
操作部１０（図２の従来例を参照）は、上記レリースワイヤ６に接続され、レリースワイヤ６のインナーワイヤの進退を行うことで、排水口１を開閉させるものであって、またインナーワイヤの進退を保持するための保持機構として、スラストロック機構を備えている。なお、チューブ１６は、塩化ビニル樹脂製のホースを用い、排水栓２と排水口１及び排水ナット１３と排水口１の間にはパッキンを備えている。
【００１４】
上記のように構成した排水栓装置は、次のように浴槽等に取付けられる。
先ず排水栓２を、浴槽の水槽底面２２に排水口１を介して排水ナット１３の開口部と螺合させる。排水栓２と排水口１、及び排水ナット１３と排水口１の間にはパッキンを備えておく。
次に図２に示した操作部１０を浴槽上面に固定し、排水ナット１３のワイヤ接続部１５と操作部１０を塩化ビニル樹脂製のホースで接続する。次にレリースワイヤ６の一方、ロッド部７を備えない側を操作部１０に接続し、ロッド部側の端部を、ワイヤ接続部１５を介して排水ナット１３から排水栓２の排水口へと導入する。更にアウターチューブの端部を弁支持部材９の軸受け部の接続部８に接続した後、排水口１内に弁支持部材９を、リング部の外周が排水栓２の内周面に当接するように挿入し、更に排水栓２の凸部に係合爪１１を係合させて排水栓２に弁支持部材９を固定する。この状態より、軸受け部内に止水弁３の弁軸を収納させてロッド部７の先端が弁軸の下方に配置されるようにして、排水栓装置の取り付けが完了する。
上記のように構成した排水栓装置を使用する場合、まず操作部１０に操作力を加えて止水弁３が排水口１を閉口した状態、即ちレリースワイヤ６のインナーワイヤが操作部１０側に後退して、ロッド部７が降下した状態とする。この状態より操作部１０に操作を加えて、インナーワイヤを弁支持部材９側に前進させると、ロッド部７が上昇して弁部４の弁軸１８下端に当接しこれを押し上げるため、止水弁３全体が上昇して排水口１を開口すると共に、スラストロック機構によって開口状態が保持される。この状態より操作スイッチに操作を加えてスラストロック機構の保持状態を解除すると、インナーワイヤが操作部１０側に後退し、ロッド部７が下降するため、ロッド部７に押し上げられていた止水弁３も降下して排水口１を閉口する。以後、この操作を繰り返すことで排水口１の開閉を自在に操作することができる。
以上で説明した排水栓装置を適用することにより、排水ナット１３の排水口底面１９と床面２０との間が低い場合でも従来の排水栓装置と同等の性能が得られた。
【００１５】
【発明の効果】
以上説明したように、本発明による水槽の排水栓装置は、排水栓を水槽底面の排水口に固定し、排水ナット本体部とレリースワイヤを差し込むワイヤ接続部が設けられた排水ナットのワイヤ接続部の先端の上端が、排水ナット本体部の上端よりも上方に位置するように設けており、排水ナット下面側の排水口底面と浴槽等を設置する床面との間が低く、排水ナットの高さを低くする必要がある場合においてもワイヤ接続部下端を床面よりも高い位置で設置できるようになって、浴槽等の水槽底面との干渉を防止することができる。
【００１６】
また、ワイヤ接続部のチューブ接続フランジ部が水槽の排水口凹部よりも外側に位置するように設けることで、チューブが接続されていても、チューブやワイヤ接続部下端と水槽底面との干渉を防止することができ、さらに、ワイヤ接続部を、排水ナット本体部に対して先端側が上方に向かうように傾斜して設けることで、レリースワイヤの曲がりを大きくとることができ、レリースワイヤの曲がりがきついことによる作動不良を無くすことができる。
さらに、排水ナット本体部の下端より下方に突出させてワイヤ接続部を設けることにより、排水ナット本体の高さを低くすることができ、床面と排水ナットの排水口との空間を保つことができる。
【図面の簡単な説明】
【図１】本発明の実施例による排水栓装置の断面図である。
【図２】従来例による排水栓装置の断面図である。
【図３】図２の排水栓装置の要部断面図である。
【符号の説明】
１  排水口                            ２  排水栓
３  止水弁                            ４  弁部
５  排水口凹部                        ６  レリースワイヤ
７  ロット部                          ８  接続部
９  弁支持部材                      １０  操作部
１１  係合爪                          １２  アーム部
１３  排水ナット                      １４  排水ナット本体部
１４ａ  上端                            １５  ワイヤ接続部
１５ａ  先端の上端                      １６  チューブ
１７  チューブ接続フランジ部          １８  弁軸
１９  排水口底面                      ２０  床面
２１  排水ナットの排水口              ２２  水槽底面（浴槽底面）
【図１】
2004232332.tif 000003
【図２】
2004232332.tif 000004
【図３】
2004232332.tif 000005